(57)【要約】【課題】撮影者が所望する撮影条件を簡単に設定することが出来る撮像装置を提供する。【解決手段】操作部により撮影条件の設定が行われ（ステップＳ５）、設定された撮影条件のデータの消失を防止するための消失防止操作が行われる場合は、所定の押しボタンが長押し操作されて（ステップＳ８）、当該押しボタンに関連付けられた記憶領域に当該撮影条件のデータが記憶される（ステップＳ１０）。そして、消失防止操作に基づいて記憶された撮影条件のデータにより、撮影条件が変更される場合は、所定の押しボタンが短押し操作された後（ステップＳ１２）、当該押しボタンに関連付けられた記憶領域に撮影条件のデータが記憶されている時（ステップＳ１３）は、その撮影条件のデータに基づいて、撮影条件が変更され（ステップＳ１４）、記憶されていない時は、ＥＥＰＲＯＭ１３に予め記憶されている撮影条件の初期データが読み出されて、カメラ１００に設定される。【選択図】図５
2011019061.tif 000002
【特許請求の範囲】
【請求項１】
複数の操作部から構成される操作手段と、
被写体の画像を画像データとして取得する撮像手段と、
予め設定されている初期の撮影条件のデータを記憶した第１の記憶手段と、
各部を制御する制御手段と、
を備えた撮像装置において、
前記第１の記憶手段に、前記操作手段の所定の操作部に関連付けられた第１の記憶領域を設け、
前記制御手段は、前記操作手段により撮影条件が設定され、かつ、前記所定の操作部において第１の操作が実行された場合は、当該所定の操作部に関連付けられた前記第１の記憶領域に、前記操作手段により設定された撮影条件のデータを記憶し、
前記制御手段は、前記所定の操作部において第２の操作が実行された場合は、当該所定の操作部に関連付けられた前記第１の記憶領域に、撮影条件のデータが記憶されているか否かを検証し、
撮影条件のデータが記憶されている場合は、当該データに基づいた撮影条件を設定し、撮影条件のデータが記憶されていない場合は、前記初期の撮影条件のデータに基づいた撮影条件を設定することを特徴とする撮像装置。
【請求項２】
複数の操作部から構成される操作手段と、
被写体の画像を画像データとして取得する撮像手段と、
予め設定されている初期の撮影条件のデータを記憶した第１の記憶手段と、
前記撮像手段により取得された画像データを記憶するための着脱自在な第２の記憶手段と、
各部を制御する制御手段と、
を備えた撮像装置において、
前記第２の記憶手段に、前記操作手段の所定の操作部に関連付けられた第２の記憶領域を設け、
前記制御手段は、前記操作手段により撮影条件が設定され、かつ、前記所定の操作部において第１の操作が実行された場合は、当該所定の操作部に関連付けられた前記第２の記憶領域に、前記操作手段により設定された撮影条件のデータを記憶し、
前記制御手段は、前記所定の操作部において第２の操作が実行された場合は、当該所定の操作部に関連付けられた前記第２の記憶領域に、撮影条件のデータが記憶されているか否かを検証し、
撮影条件のデータが記憶されている場合は、当該データに基づいた撮影条件を設定し、撮影条件のデータが記憶されていない場合は、前記初期の撮影条件のデータに基づいた撮影条件を設定することを特徴とする撮像装置。
【請求項３】
請求項１または請求項２に記載の撮像装置において、
前記第１および第２の操作のうち、一方の操作を行う場合は、前記所定の操作部を一定時間以上押圧操作し、他方の操作を行う場合は、前記所定の操作部を一定時間未満押圧操作することを特徴とする撮像装置。
【請求項４】
請求項１または請求項２に記載の撮像装置において、
前記撮影条件の概略を示す概略情報を報知する報知手段を更に設け、
前記第１または第２の記憶領域に記憶されている撮影条件のデータに基づいた撮影条件が設定された場合に、前記報知手段により、前記概略情報の報知を行うことを特徴とする撮像装置。
【発明の詳細な説明】
【技術分野】
【０００１】
本発明は、撮影条件を記憶する撮像装置に関する。
【背景技術】
【０００２】
デジタルスチルカメラ（Digital  still camera）等の撮像装置では、撮影時において、「レンズの絞り値」、「シャッター速度」、「ＩＳＯ（International Organization for Standardization speed rating）感度」、「ホワイトバランス」、「フラッシュ切換え」、「手ぶれ補正」、「撮影モード」、「撮影シーン」、「画像サイズ」、「画質」等の様々な撮影条件が、撮影者により任意に設定される。
【０００３】
このような撮影条件の設定は、撮影者の意図を反映した撮影を行うことが出来る一方、他方では、撮影条件の設定に手間が掛かってシャッターチャンスを逃す恐れがある。かかる問題を解決するための撮像装置は、例えば、後掲の特許文献１〜５に開示されている。
【０００４】
詳しくは、特許文献１に記載のデジタルカメラでは、外部記憶媒体に記憶されている複数の画像ファイルに対して、当該画像ファイルに付加されている撮影条件情報を参照する処理が実行され、もっとも使用頻度が高い設定値（撮影条件情報）が抽出される。そして、抽出された設定値が、撮影者が所望する撮影条件としてデジタルカメラに設定される。
【０００５】
特許文献２に記載のデジタルカメラでは、サーバに格納されているサムネイル画像が、ネットワークを介して取得される。そして、取得されたサムネイル画像の中に、撮影者が所望するサムネイル画像がある場合、当該サムネイル画像に関する撮影条件が、撮影者が所望する撮影条件としてデジタルカメラに設定される。
【０００６】
特許文献３に記載のデジタルカメラでは、記録媒体から読み出した画像と同じ撮影条件を設定する場合、この画像と一緒に読み出した当該画像データに関連するタグ情報に基づいて、撮影条件の設定が行われる。
【０００７】
特許文献４に記載の撮像装置では、フレーミング手法や撮影手法に関するガイド情報が予め当該撮像装置に格納されており、撮影時においては、被写体に応じたガイド情報がモニタに表示される。
【０００８】
特許文献５に記載のデジタルカメラでは、撮影条件が記録されている着脱自在な２つのメモリカードに対応する２つのシャッターボタンが設けられている。そして、一方のシャッターボタンが操作された際は、当該シャッターボタンに対応するメモリカードから読み出された撮影条件に基づいて撮影が行われ、他方のシャッターボタンが操作された際に、当該シャッターボタンに対応するメモリカードから読み出された撮影条件に基づいて撮影が行われる。
【先行技術文献】
【特許文献】
【０００９】
【特許文献１】特開２００４−１９３８８４号公報
【特許文献２】特開２００３−３１９３２７号公報
【特許文献３】特開２００３−１５３０７４号公報
【特許文献４】特開２００２−２８１３５６号公報
【特許文献３】特開２００１−１６０９１５号公報
【発明の概要】
【発明が解決しようとする課題】
【００１０】
しかしながら、上述したデジタルカメラや撮像装置では、撮影条件を設定する際に参照する画像データが無い場合は、撮影者が所望する撮影条件を設定出来ないものがあり、また、撮影条件の設定に際して、例えば、デジタルカメラに備えられた画面にセットアップ画面を表示させて、当該セットアップ画面上で所定の操作を行わなければならないものもある。
【００１１】
以上の理由から、撮影者が所望する撮影条件を設定するためには、色々と手間が掛かるため、シャッターチャンスを逃す恐れがある。
【００１２】
本発明は、上述した問題点に鑑み、撮影者が所望する撮影条件を簡単に設定することが出来る撮像装置を提供することを目的としている。
【課題を解決するための手段】
【００１３】
本発明に係る撮像装置は、複数の操作部から構成される操作手段と、被写体の画像を画像データとして取得する撮像手段と、予め設定されている初期の撮影条件のデータを記憶した第１の記憶手段と、各部を制御する制御手段とを備えており、第１の記憶手段に、操作手段の所定の操作部に関連付けられた第１の記憶領域を設けている。そして、制御手段は、操作手段により撮影条件が設定され、かつ、所定の操作部において第１の操作が実行された場合は、当該所定の操作部に関連付けられた第１の記憶領域に、操作手段により設定された撮影条件のデータを記憶する。また、制御手段は、所定の操作部において第２の操作が実行された場合は、当該所定の操作部に関連付けられた第１の記憶領域に、撮影条件のデータが記憶されているか否かを検証し、撮影条件のデータが記憶されている場合は、当該データに基づいた撮影条件を設定し、撮影条件のデータが記憶されていない場合は、初期の撮影条件のデータに基づいた撮影条件を設定する。
【００１４】
このようにすることで、カメラ等の撮像装置において撮影条件の設定を行う場合、撮影条件を設定するための画像データが無い場合でも、撮影者が所望する撮影条件を設定することが出来る。また、第２の操作による撮影条件の設定に際して、第１の操作により既に設定済みの撮影条件を利用出来るので、例えば、撮像装置に備えられた画面にセットアップ画面を表示させて、当該セットアップ画面上で所定の操作を行うことが不要となり、撮影者が所望する撮影条件をワンタッチで簡単に設定することが出来る。これにより、撮影条件の設定に色々と手間が掛かって、シャッターチャンスを逃してしまうことを抑制することが出来る。
【００１５】
本発明では、撮影条件のデータを着脱自在なメモリカード等に記憶させても良い。この場合の本発明に係る撮像装置は、複数の操作部から構成される操作手段と、被写体の画像を画像データとして取得する撮像手段と、予め設定されている初期の撮影条件のデータを記憶した第１の記憶手段と、撮像手段により取得された画像データを記憶するための着脱自在な第２の記憶手段と、各部を制御する制御手段とを備えており、第２の記憶手段に、操作手段の所定の操作部に関連付けられた第２の記憶領域を設けている。そして、制御手段は、操作手段により撮影条件が設定され、かつ、所定の操作部において第１の操作が実行された場合は、当該所定の操作部に関連付けられた第２の記憶領域に、操作手段により設定された撮影条件のデータを記憶する。また、制御手段は、所定の操作部において第２の操作が実行された場合は、当該所定の操作部に関連付けられた第２の記憶領域に、撮影条件のデータが記憶されているか否かを検証し、撮影条件のデータが記憶されている場合は、当該データに基づいた撮影条件を設定し、撮影条件のデータが記憶されていない場合は、初期の撮影条件のデータに基づいた撮影条件を設定する。
【００１６】
このようにすることで、上述した効果に加えて、撮影者が所望する撮影条件が記憶されたメモリカード等（着脱自在な第２の記憶手段）を、同じ機種や、同じ撮影条件の設定方法を採用している他の撮像装置で使用することにより、使用先の撮像装置において、撮影者が所望する撮影条件を簡単に設定することが出来る。  
【００１７】
本発明において、第１および第２の操作のうち、一方の操作を行う場合は、所定の操作部を一定時間以上押圧操作し、他方の操作を行う場合は、所定の操作部を一定時間未満押圧操作してもよい。
【００１８】
このようにすることで、同一の操作部で異なる２つの操作を行うことが出来るため、撮影者が撮影条件を設定する場合の利便性が向上する。
【００１９】
本発明において、撮影条件の概略を示す概略情報を報知する報知手段を更に設け、第１または第２の記憶領域に記憶されている撮影条件のデータに基づいた撮影条件が設定された場合に、報知手段により、概略情報の報知を行ってもよい。
【００２０】
このようにすることで、撮影条件の設定を変更した際に、撮影者は、当該撮影条件に対応した最適な撮影環境等の情報を知ることが出来るため、撮影条件の選択間違いによる撮影の失敗を未然に防ぐことが出来る。
【発明の効果】
【００２１】
本発明によれば、所定の操作部において第１の操作が実行された場合は、当該所定の操作部に関連付けられた第１の記憶領域に、操作手段により設定された撮影条件のデータが記憶され、所定の操作部において第２の操作が実行され、かつ、当該所定の操作部に関連付けられた第１の記憶領域に、撮影条件のデータが記憶されている場合は、当該データに基づいた撮影条件が撮像装置に設定されるため、撮影者が所望する撮影条件を簡単に設定することが出来る撮像装置を提供することが出来る。
【図面の簡単な説明】
【００２２】
【図１】デジタルスチルカメラの構成を示したブロック図である。
【図２】デジタルスチルカメラの正面図である。
【図３】デジタルスチルカメラの背面図である。
【図４】デジタルスチルカメラの左側面図である。
【図５】撮影条件が設定される場合の設定手順等を示すフローチャートである。
【図６】撮影条件の設定画面の一例を示した図である。
【図７】撮影条件の設定画面の一例を示した図である。
【図８】撮影条件の設定画面の一例を示した図である。
【図９】設定された撮影条件の一例を示した図である。
【図１０】設定された撮影条件の一例を示した図である。
【図１１】設定された撮影条件の一例を示した図である。
【図１２】各押しボタンに関連付けられた撮影条件データの記憶領域の一例を示した図である。
【発明を実施するための形態】
【００２３】
以下、本発明の実施形態につき、図面を参照しながら説明する。尚、以下の図では、同一部分または対応する部分に同一符号を付してある。
【００２４】
図１は、デジタルスチルカメラ１００の構成を示したブロック図である。図２は、デジタルカメラ１００の正面図である。図３は、デジタルカメラ１００の背面図である。図４は、図２に示すデジタルカメラ１００の左側面図である。デジタルスチルカメラ１００は、本発明である撮像装置の一実施形態である。以下においては、デジタルスチルカメラを「カメラ」と略記する。
【００２５】
図１のカメラ１００において、ＣＰＵ（Central  Processing Unit）１１は、カメラ１００の各部を制御する。
【００２６】
ＲＡＭ（Random Access  Memory）１２は、ＣＰＵ１１によって各種制御処理が実行される際に生じる処理情報を一時的に記憶する。このため、ＣＰＵ１１は、制御処理の実行時にＲＡＭ１２にアクセスして、必要なデータの読み込み、および、書き込みを行う。
【００２７】
ＥＥＰＲＯＭ（Electronically  Erasable and Programmable Read Only Memory）１３は、ＣＰＵ１１により実行される制御プログラムや各種アプリケーションプログラムを予め記憶している。
【００２８】
操作部１４では、カメラ１００の各種操作が行われる。この操作部１４は、図２〜図４において図示されているシャッターボタン１４ａや、図３および図４において図示されている十字キーボタン１４ｂ、同じく、図３および図４において図示されている３個の押しボタン１４ｃ〜１４ｅ等から構成されている。各ボタンは、押圧操作が可能な構造となっており、特に、十字キーボタン１４ｂでは、上端部／下端部／右端部／左端部および中央部のそれぞれにおいて押圧操作が可能な構造となっている。尚、操作部１４には、これら以外のボタンも含まれているが、本実施形態においては、当該ボタンの図示および説明を省略する。
【００２９】
表示部１５は、図３に示す通り、カメラ１００の背面に設けられている。この表示部１５は、撮影時においては、被写体の画像を表示するファインダとして機能し、再生時においては、撮影した静止画または動画を表示するモニタとして機能する。また、「ＩＳＯ感度」、「ホワイトバランス」、「フラッシュ切換え」等の撮影条件の設定が行われる場合は、当該設定に係る画面（以下、「設定画面」と記載）が、表示部１５に表示される。
【００３０】
表示部１５は、例えば、ディスプレイであるＬＣＤ（Liquid Crystal Display）１５ａ（図３）と、当該ＬＣＤを駆動させるＬＣＤ駆動回路（図示省略）と、ＬＣＤの光源であるバックライト（図示省略）等から構成されている。
【００３１】
撮影レンズユニット１６は、図２に示す通り、その一部がカメラ１００の正面から見える状態で、当該カメラ１００に設けられている。この撮影レンズユニット１６は、被写体を撮影するためのものであり、例えば、複数枚のレンズから成るレンズ群１６ａ（図２）と、焦点調節を行うレンズ制御回路（図示省略）と、ズーム調節を行うレンズ駆動モータ（図示省略）と、レンズから入ってくる光量を調整する絞り（図示省略）と、当該絞りの開度を調整する絞り駆動回路（図示省略）等から構成されている。
【００３２】
ＣＣＤ（Charge Coupled  Device） １７は、撮影レンズユニット１６により結像された被写体像を、Ｒ（赤）・Ｇ（緑）・Ｂ（青）の色成分の画像信号に光電変換して、後述の信号処理回路１９に出力する。
【００３３】
ＴＧ（Timing Generator）１８は、ＣＣＤ１７の駆動を制御するための駆動制御信号を生成する。例えば、撮影レンズユニット１６における露出制御は、ＣＣＤ１７の露出時間（ＣＣＤ１７の電荷蓄積時間）と、絞り（図示省略）との調節により行われる。このため、ＴＧ１８は、ＣＣＤ１７の露出時間等を制御するための駆動制御信号を生成する。尚、ＣＣＤ１７の露出時間は、シャッタースピードに相当する。
【００３４】
信号処理回路１９は、ＣＣＤ１７から得られる画像信号に対して所定の信号処理を行う。この信号処理回路１９は、例えば、ＣＤＳ（Correlated Double Sampling）回路と、ＡＧＣ（Automatic Gain Controller）と、ＡＤＣ（Analog to Digital Converter）等から構成されている。尚、上述したＣＤＳ、ＡＧＣ、ＡＤＣについては、図示を省略する。
【００３５】
ＣＤＳは、アナログ信号のノイズを除去し、ＡＧＣは、アナログ信号のゲインを自動調節する。ＡＤＣは、アナログ信号の画像データをデジタル信号の画像データに変換する。変換された画像データは、ＤＳＰ２０へ向けて出力される。
【００３６】
ＤＳＰ（Digital Signal  Processor）２０は、信号処理回路１９から入力された画像データに対して、各種の信号処理を行うともに、表示部１５への当該画像の表示や、後述のカードＩＦ（Interface）２１へアクセスして画像ファイルの読み書きを行う。
【００３７】
このＤＳＰ２０は、例えば、ＡＦ（Auto  Focus）回路、ＡＥ（Automatic  Exposure）／ＡＷＢ（Auto White Balance）回路、画像処理回路等から構成されるＩＣ（Integrated Circuit）チップである。尚、上述したＡＦ回路、ＡＥ／ＡＷＢ回路、画像処理回路については、図示を省略する。
【００３８】
ＡＦ回路は、操作部１４において、焦点位置を合わせるためのプレ撮影操作が行われた場合、当該プレ撮影で得られたプレ画像に基づいて、焦点位置を検出し、フォーカシングを行う。
【００３９】
ＡＥ回路は、プレ画像のデータに基づいて、被写体輝度を測定し、測定された測光値に応じて、絞り値、露出時間、後述する発光装置２２の発光可否等の露出条件を演算により求める。
【００４０】
ＡＷＢ回路は、撮影時のホワイトバランスを自動調整する。このようにして求められた各種設定値は、ＣＰＵ１１によってＲＡＭ１２に書き込まれることにより、撮影処理を実行する際の撮影条件として設定される。
【００４１】
画像処理回路は、画像データに対して、ガンマ補正、シャープネス補正、コントラスト補正等の画質補正処理や、その他種々の画像処理を行う。
【００４２】
カードＩＦ２１は、図４に示す通り、カメラ１００の左側面に設けられている。このカードＩＦ２１は、カメラ１００によって撮影された画像（静止画や動画）を記憶するためのメモリカードＭを着脱可能に収容するインターフェイスである。
【００４３】
埃や水分の浸入を防止するため、カードＩＦ２１は、通常、カバーＣ（図４）で閉じられている。カバーＣは、例えば、メモリカードＭを交換する時に開かれる。メモリカードＭは、例えば、ＳＤ（Secure Digital）カードや、ＳＤＨＣ（SD  High Capacity）カードである（「ＳＤ」および「ＳＤＨＣ」は、登録商標）。
【００４４】
発光装置２２は、図２に示す通り、その一部がカメラ１００の正面から見える状態で、当該カメラ１００に設けられている。この発光装置２２は、撮影時における補助的な光源であり、例えば、被写体からの反射光を測定し、その測定値に応じた光量を自動設定して発光する。発光装置２２は、例えば、エレクトロニックフラッシュ（Electronic Flash）である。
【００４５】
ＲＴＣ（Real Time Clock）２３は、撮影日時を管理するための時計回路である。つまり、ＲＴＣ２３では、現在時刻が逐次カウントされる。尚、このＲＴＣ２３は、カメラ１００の電源ＯＦＦ期間であっても、内蔵電池（図示省略）から電源供給を受けて動作するようになっている。
【００４６】
タイマー２４は、経過時間を計測する回路である。例えば、操作部１４にて所定の操作が行われた場合に、当該操作実行時からの経過時間が、タイマー２４により計測される。このため、例えば、シャッターボタンを押してから数秒後にシャッターを切る「セルフタイマー機能」の利用時において、タイマー２４による経過時間の計測が行われる。
【００４７】
以上において、操作部１４は、本発明における操作手段の一実施形態を構成し、撮像レンズユニット１６は、本発明における撮像手段の一実施形態を構成し、ＥＥＰＲＯＭ１３は、本発明における第１の記憶手段の一実施形態を構成する。制御部１１は、ＥＥＰＲＯＭ１３と共に、本発明における制御手段の一実施形態を構成する。メモリカードＭは、本発明における着脱自在な第２の記憶手段を構成する。
【００４８】
図５は、以上のような構成のカメラ１００において撮影者が所望する撮影条件が設定される場合の設定手順や、各設定手順において実施される処理等を説明するためのフローチャートである。
【００４９】
図５のフローチャートにおいて、ステップＳ１では、カメラ１００（図１）の操作部１４（図１）において所定の操作が実行されて、カメラ１００が起動する。例えば、撮影者によって、図示しない電源ボタンが操作されて、カメラ１００の電源がＯＮになる。これにより、カメラ１００は、撮影可能な状態（以下、「撮影モード」と記載）となる。
【００５０】
ステップＳ２では、撮影条件の設定を行うための操作が行われる場合（ステップＳ２：ＹＥＳ）は、ステップＳ３へ進み、行われない場合（ステップＳ２：ＮＯ）は、ステップＳ１６へ進む。
【００５１】
ステップＳ３では、カメラ１００の操作部１４において、撮影条件の設定を行うための操作が実行される。この場合、例えば、撮影者によって、十字キーボタン１４ｂ（図３）の中央部が長めに（数秒間）押圧される。以下においては、ボタンを長めに押圧する操作を、「長押し操作」と記載する。
【００５２】
ステップＳ４では、ステップＳ３での操作に基づいて、撮影条件を設定するための設定画面が、表示部１５（図１）に表示される。例えば、十字キーボタン１４ｂの中央部が長押し操作されたことに基づいて、ＣＰＵ１１（図１）がＥＥＰＲＯＭ１３（図１）に記憶されているプログラムを実行する。これにより、カメラ１００は、「撮影モード」から撮影条件の設定が行われる状態（以下、「撮影条件設定モード」と記載）に移行する。
【００５３】
「撮影条件設定モード」に移行した場合、表示部１５のＬＣＤ１５ａ（図３）には、例えば、図６に示すような撮影条件設定画面Ｗ１が表示される。撮影条件設定画面Ｗ１において、Ｒ１は、撮影条件の設定に係る各種項目が列挙された設定項目欄である。Ｒ２は、各種設定項目毎に設定可能な撮影条件が列挙された条件一覧である。Ｋは、設定項目欄Ｒ１から撮影条件の変更を行う設定項目を選択した後、各条件一覧Ｒ２から所望する撮影条件を選択するためのカーソルである。
【００５４】
また、条件一覧Ｒ２において、「＜＜」は、当該条件一覧Ｒ２の枠内に表示されていない撮影条件があり、例えば、十字キーボタン１４ｂの左端部を操作し続けることで、表示されていない撮影条件が表示されることを示している。同じく、条件一覧Ｒ２において、「＞＞」は、当該条件一覧Ｒ２の枠内に表示されていない設定内容があり、例えば、十字キーボタン１４ｂの右端部を操作し続けることで、表示されていない撮影条件が表示されることを示している。
【００５５】
ステップＳ５では、ステップＳ４において表示部１５に表示された設定画面を利用した撮影条件の設定が行われる。例えば、ＬＣＤ１５ａにおいて、撮影条件設定画面Ｗ１の画面上にあるカーソルＫが、撮影者による十字キーボタン１４ｂの上端部または下端部の操作に基づいて、図６に示す設定画面Ｗ１上の位置から図７に示す設定画面Ｗ２上の位置に垂直移動する。これにより、設定項目Ｒ１の中から、撮影者が所望する設定項目が選択される。
【００５６】
設定項目Ｒ１の選択が終わると、例えば、撮影者による十字キーボタン１４ｂの右端部または左端部の操作に基づいて、撮影条件設定画面Ｗ１の画面上にあるカーソルＫが、図７に示す設定画面Ｗ２上の位置から図８に示す設定画面Ｗ３上の位置に水平移動する。これにより、条件一覧Ｒ２の中から、撮影者が所望する撮影条件が選択される。
【００５７】
条件一覧Ｒ２において所定の撮影条件の選択が終了すると、例えば、撮影者による十字キーボタン１４ｂの中央部の操作に基づいて、選択された撮影条件が確定される。撮影条件が確定されると、例えば、図８中の設定項目Ｒ１「Ｆ値」に対応する条件一覧Ｒ２中の撮影条件「３．３」に示されるように、確定された撮影条件の背景色が「灰色」になる。そして、当該撮影条件の確定後、カーソルＫは、例えば、下段の設定項目Ｒ１に自動的に移動する。
【００５８】
以上、ステップＳ５にて説明した操作が、撮影者によって設定項目毎に行われることで、当該撮影者が所望する撮影条件を細かく設定することが出来る。
【００５９】
ステップＳ６では、撮影条件の設定操作を終了させる場合（ステップＳ６：ＹＥＳ）は、ステップＳ７へ進み、終了させない場合（ステップＳ６：ＮＯ）は、ステップＳ６に戻って、撮影条件の設定操作を継続する。
【００６０】
ステップＳ７では、撮影条件の設定操作を終了させ、カメラ１００の状態を、「撮影条件設定モード」から、ステップＳ５で設定された撮影条件を反映させた「撮影モード」に移行させる。
【００６１】
ステップＳ７においては、例えば、撮影者により、十字キーボタン１４ｂの中央部が再び長押し操作されることにより、当該撮影者により設定された撮影条件のデータが、ＣＰＵ１１の制御の下、ＲＡＭ１２に一時的に記憶されて、撮影条件の設定操作が終了する。そして、カメラ１００の状態が、ＲＡＭ１２に記憶された撮影条件のデータに基づく「撮影モード」となる。ＲＡＭ１２に記憶された撮影条件のデータは、例えば、図９に示す設定画面Ｗ４で設定されたデータである。ＲＡＭ１２に記憶された撮影条件のデータは、本発明における撮影条件のデータの一例である。
【００６２】
ここで、撮影条件の変更操作が再度実行されて、撮影条件が変更された場合は、ＲＡＭ１２に記憶されていた変更前の撮影条件のデータは、変更後の撮影条件のデータにより上書きされて、消失する。
【００６３】
例えば、変更前の撮影条件のデータが、図９に示す設定画面Ｗ４で設定されたデータ（以下、「夜景撮影用データ」と記載）であり、変更後の撮影条件のデータが、図１０に示す設定画面Ｗ５で設定されたデータ（以下、「スポーツ撮影用データ」と記載）や、図１１に示す設定画面Ｗ６で設定されたデータ（以下、「水中撮影用データ」と記載）である場合、設定画面Ｗ４で設定されたデータは、設定画面Ｗ５や設定画面Ｗ６で設定されたデータにより上書きされる。
【００６４】
また、カメラ１００の電源がＯＦＦとなった場合は、ＲＡＭ１２に記憶されていた撮影条件のデータは消失する。このため、再度、カメラ１００の電源がＯＮとなった場合は、例えば、ＣＰＵ１１により、ＥＥＰＲＯＭ１３に予め記憶されている撮影条件の初期データが読み出されて、カメラ１００に設定される。
【００６５】
このため、ステップＳ８では、撮影者により、ステップＳ５で設定された撮影条件のデータの消失を防止するための操作（以下、「消失防止操作」と記載）が行われた場合（ステップＳ８：ＹＥＳ）は、ステップＳ９へ進み、消失防止操作が行われない場合（ステップＳ８：ＮＯ）は、ステップＳ１８へ進む。
【００６６】
ステップＳ８において、消失防止操作が行われる場合（ステップＳ８：ＹＥＳ）は、例えば、撮影者により、３個の押しボタン１４ｃ〜１４ｅ（図３）の内のいずれか１個の押しボタンが、一定時間以上（例えば、数秒間）長押し操作される。以上において、押しボタン１４ｃ〜１４ｅは、本発明における所定の操作部の一実施形態である。また、ステップＳ８で行われる操作は、本発明における第１の操作の一例である。
【００６７】
ここで、本実施形態においては、例えば、ＥＥＰＲＯＭ１３内には、図１２に示すように、押しボタン１４ｃに関連付けられた撮影条件データの記憶領域１３ｃと、押しボタン１４ｄに関連付けられた撮影条件データの記憶領域１３ｄと、押しボタン１４ｅに関連付けられた撮影条件データの記憶領域１３ｅと、記憶領域（図示省略）とが、予め設けられている。上述した記憶領域１３ｃ〜１３ｅは、本発明における第１の記憶領域の一例である。
【００６８】
このため、消失防止操作が行われた場合は、ＲＡＭ１２に記憶されている撮影条件のデータが、長押し操作が行われた押しボタン１４ｃ〜１４ｅに関連付けられた記憶領域１３ｃ〜１３ｅに記憶される。つまり、例えば、押しボタン１４ｃが長押し操作された場合は、ステップＳ４で設定された撮影条件のデータが、当該押しボタン１４ｃに関連付けられた記憶領域１３ｃに記憶される。
【００６９】
ステップＳ９では、ＣＰＵ１１により、ステップＳ５で設定された撮影条件のデータが記憶される記憶領域の検証が行われる。例えば、ステップＳ８において長押し操作された押しボタンが押しボタン１４ｃである場合、ＣＰＵ１１により、当該押しボタン１４ｃに関連付けられた記憶領域１３ｃに、他の撮影条件のデータが記憶されているか否かが検証される。検証の結果、当該記憶領域に他の撮影条件のデータが記憶されていない場合（ステップＳ９：ＹＥＳ）は、ステップＳ１０へ進み、他の撮影条件のデータが記憶されている場合（ステップＳ９：ＮＯ）は、ステップＳ１７へ進む。
【００７０】
ステップＳ１０では、ステップＳ５で設定された撮影条件のデータが記憶される記憶領域に、他の撮影条件のデータが記憶されていないこと（ステップＳ９：ＹＥＳ）に基づいて、当該撮影条件のデータが所定の記憶領域に記憶される。例えば、ステップＳ８において長押し操作された押しボタンが押しボタン１４ｃである場合、ステップＳ５で設定された撮影条件のデータが、当該押しボタン１４ｃに関連付けられた記憶領域１３ｃに記憶される。
【００７１】
ステップＳ１１では、撮影者により、撮影条件の変更を行うための操作が行われる場合（ステップＳ１１：ＹＥＳ）は、ステップＳ１２へ進み、行われない場合（ステップＳ１１：ＮＯ）は、ステップＳ１８へ進む。
【００７２】
ステップＳ１２では、変更される撮影条件が、ステップＳ８での消失防止操作に基づいて、ステップＳ１０で記憶された撮影条件である場合（ステップＳ１２：ＹＥＳ）は、ステップＳ１３へ進み、撮影者によって新たに設定される撮影条件である場合（ステップＳ１２：ＮＯ）は、ステップＳ３の直前に戻る。
【００７３】
ステップＳ１２において、ステップＳ１０で記憶された撮影条件のデータに基づいて、撮影条件が変更される場合（ステップＳ１２：ＹＥＳ）は、例えば、撮影者により、３個の押しボタン１４ｃ〜１４ｅ（図３）の内のいずれか１個の押しボタンが、一定時間未満（例えば、１秒に満たない時間）押圧される。以下においては、ボタンを短めに押圧する操作を、「短押し操作」と記載する。以上において、ステップＳ１２で行われる操作は、本発明における第２の操作の一例である。
【００７４】
ステップＳ１３では、ＣＰＵ１１により、ステップＳ１２で短押し操作された押しボタンに関連付けられた記憶領域の検証が行われ、検証の結果、当該記憶領域に撮影条件のデータが記憶されている場合（ステップＳ１３：ＹＥＳ）は、ステップＳ１４へ進み、記憶されていない場合（ステップＳ１３：ＮＯ）は、ステップＳ２の直前に戻る。
【００７５】
ステップＳ１４では、ステップＳ１２で短押し操作された押しボタンに関連付けられた記憶領域に記憶されている撮影条件のデータに基づいて、撮影条件が変更される。
【００７６】
例えば、カメラ１００に設定されている撮影条件が、図９に示す設定画面Ｗ４で設定された夜景撮影用のデータに基づく撮影条件であり、押しボタン１４ｃに関連付けられた記憶領域１３ｃに記憶されている撮影条件のデータが、同じく夜景撮影用のデータであり、押しボタン１４ｄに関連付けられた記憶領域１３ｄに記憶されている撮影条件のデータが、図１０に示す設定画面Ｗ５で設定されたスポーツ撮影用のデータであり、押しボタン１４ｅに関連付けられた記憶領域１３ｅに記憶されている撮影条件のデータが、図１１に示す設定画面Ｗ６で設定された水中撮影用のデータである場合、ステップＳ１２で短押し操作された押しボタンが、押しボタン１４ｃである場合は、撮影条件は変更されない。
【００７７】
しかしながら、短押し操作された押しボタンが、押しボタン１４ｄである場合は、夜景撮影のための撮影条件から、スポーツ撮影のための撮影条件に変更され、短押し操作された押しボタンが、押しボタン１４ｅである場合は、夜景撮影のための撮影条件から、水中撮影のための撮影条件に変更される。
【００７８】
ステップＳ１５では、カメラ１００の状態が、ステップＳ１４で設定（変更）された撮影条件を反映させた「撮影モード」に移行して、本フローチャートが終了する。
【００７９】
ステップＳ２において「ＮＯ」である場合は、ステップＳ１６に進んで、ＥＥＰＲＯＭ１３に予め記憶されている撮影条件の初期データに基づく撮影（通常撮影）が行われ、その後、本フローチャートが終了する。
【００８０】
ステップＳ８において「ＮＯ」である場合は、ステップＳ７で反映された変更後の撮影条件に基づく撮影が行われ、その後、本フローチャートが終了する。
【００８１】
ステップＳ９において「ＮＯ」である場合は、ステップＳ１７において、例えば、ステップＳ９で検証された記憶領域に記憶されている他の撮影条件のデータに対して上書き操作を行うか否かの警告表示が、ＬＣＤ１５ａに表示され、これにより、上書き操作が行われる場合（ステップＳ１７：ＹＥＳ）は、ステップＳ１０へ移行してデータの上書きが行われ、上書き操作が行われない場合（ステップＳ１７：ＮＯ）は、ステップＳ１８へ移行して、ステップＳ７で反映された変更後の撮影条件に基づく撮影が行われ、その後、本フローチャートが終了する。
【００８２】
ステップＳ１１において「ＮＯ」である場合は、ステップＳ７で反映された変更後の撮影条件に基づく撮影が行われ（ステップＳ１８）、その後、本フローチャートが終了する。
【００８３】
ステップＳ１３において「ＮＯ」である場合は、ＣＰＵ１１により、ＥＥＰＲＯＭ１３に予め記憶されている撮影条件の初期データが読み出されて、カメラ１００に設定され、その後、ステップＳ２の直前に戻る。
【００８４】
以上述べたように、上記実施形態によれば、撮影条件の設定が行われ（ステップＳ５）、ステップＳ５で設定された撮影条件のデータの消失を防止するための消失防止操作が行われる場合は、押しボタン１４ｃ〜１４ｅの内のいずれか１個の押しボタンが長押し操作されて（ステップＳ８：ＹＥＳ）、当該押しボタンに関連付けられた記憶領域１３ｃ〜１３ｅに、ＲＡＭ１２に記憶されている撮影条件のデータが記憶される（ステップＳ１０）。そして、消失防止操作に基づいて記憶された撮影条件のデータにより、撮影条件が変更される場合は、押しボタン１４ｃ〜１４ｅの内のいずれか１個の押しボタンが短押し操作された後（ステップＳ１２：ＹＥＳ）、短押し操作された押しボタンに関連付けられた記憶領域１３ｃ〜１３ｅに撮影条件のデータが記憶されている場合（ステップＳ１３：ＹＥＳ）は、当該撮影条件のデータに基づいて、撮影条件が変更され（ステップＳ１４）、撮影条件のデータが記憶されていない場合（ステップＳ１３：ＮＯ）は、ＥＥＰＲＯＭ１３に予め記憶されている撮影条件の初期データが読み出されて、カメラ１００に設定される。これにより、撮影条件を設定するための画像データが無い場合でも、撮影者が所望する撮影条件を設定することが出来る。また、ステップＳ１２での操作による撮影条件の設定に際して、ステップＳ８での操作により既に設定済みの撮影条件データをそのまま利用出来るので、以前に撮影したシーンと同じようなシーンを撮影する場合には、ＬＣＤ１５ａにセットアップ画面を表示させて、当該セットアップ画面上で所定の操作を行わなくても、そのシーンに対応した押しボタン１４ｃ〜１４ｅを短押しするだけで良いため、撮影者が所望する撮影条件をワンタッチで簡単に設定することが出来る。
【００８５】
本発明では、以上述べた以外にも種々の実施形態を採用することが出来る。例えば、上記実施形態では、ＥＥＰＲＯＭ１３内に、押しボタン１４ｃ〜１４ｅに関連付けられた記憶領域１３ｃ〜１３ｅを予め設けたが、これに限られず、メモリカードＭがカメラ１００に取り付けられた際に、当該メモリカードＭ内に、押しボタン１４ｃ〜１４ｅに関連付けられた記憶領域１３ｃ〜１３ｅを設けてもよい。そして、押しボタン１４ｃ〜１４ｅの内のいずれか１個の押しボタンが長押し操作された場合に、当該押しボタンに関連付けられたメモリＭ内の記憶領域１３ｃ〜１３ｅに、ＲＡＭ１２に記憶されている撮影条件のデータを記憶してもよい。これにより、同じ機種や、同じ撮影条件の設定方法を採用している他の撮像装置で、撮影条件が記憶されているメモリカードＭを使用することにより、使用先の撮像装置において、撮影者が所望する撮影条件を簡単に設定することが出来る。
【００８６】
また、上記実施形態では、消失防止操作を行う場合に、押しボタン１４ｃ〜１４ｅの内のいずれか１個の押しボタンを長押し操作し、消失防止操作に基づいて記憶された撮影条件のデータにより、撮影条件が変更される場合に、押しボタン１４ｃ〜１４ｅの内のいずれか１個の押しボタンを短押し操作したが、これに限られず、消失防止操作を行う場合に短押し操作し、撮影条件を変更する場合に、長押し操作しても良い。いずれにしても、このように、同一の押しボタンで異なる２つの操作を行うことが出来るため、撮影者が撮影条件を設定する場合の利便性が向上する。
【００８７】
また、消失防止操作に基づいて記憶された撮影条件のデータにより、撮影条件が変更された場合に、例えば、表示部１５のＬＣＤ１５ａに、「夜景撮影用の撮影条件に設定されています」等の変更された撮影条件の概略情報を表示しても良い。これにより、撮影条件の設定を変更した際に、撮影者は、当該撮影条件に対応した最適な撮影環境等の情報を知ることが出来るため、撮影条件の選択間違いによる撮影の失敗を未然に防ぐことが出来る。尚、この概略情報は、例えば、操作部１４において所定の操作を行うことで、該当する撮影条件のデータに付加させても良いし、これ以外の他の方法により付加させても良い。
【００８８】
また、消失防止操作に基づいて記憶された撮影条件のデータにより、撮影条件が変更された場合に、撮像装置側の設備状態が、当該撮影条件を満たしていない時は、その旨を撮影者に警告するようにしてもよい。例えば、撮影した画像等を表示するための表示部と、撮影操作時の操作音等を出力するためのスピーカとを備えたカメラにおいて、変更後の撮影条件に、外付けの発光装置を用いて強制発光する条件が含まれており、当該撮影条件に基づいて撮影を行うカメラに、外付けの発光装置が接続されていない場合は、表示部に「発光装置が接続されていません」と警告する画像を表示しても良いし、スピーカから「発光装置が接続されていません」と警告する音声を出力してもよい。これにより、撮影者は、カメラの設備状態が変更した撮影条件を満たしていないことを認識することが出来るため、撮影の失敗を未然に防ぐことが出来る。
【００８９】
さらに、上記実施形態では、撮像装置として、デジタルスチルカメラを例に挙げたが、これに限られず、デジタルスチルカメラの撮像機能を備えたデジタルビデオカメラなどでも利用することが出来る。
【符号の説明】
【００９０】
１１    ＣＰＵ
１２    ＲＡＭ
１３    ＥＥＰＲＯＭ
１３ｃ〜１３ｅ    記憶領域
１４    操作部
１４ｃ〜１４ｅ    押しボタン
１５    表示部
１５ａ    ＬＣＤ
１６    撮影レンズユニット
１００    デジタルスチルカメラ
Ｍ      メモリカード
【図１】
2011019061.tif 000003
【図２】
2011019061.tif 000004
【図３】
2011019061.tif 000005
【図４】
2011019061.tif 000006
【図５】
2011019061.tif 000007
【図６】
2011019061.tif 000008
【図７】
2011019061.tif 000009
【図８】
2011019061.tif 000010
【図９】
2011019061.tif 000011
【図１０】
2011019061.tif 000012
【図１１】
2011019061.tif 000013
【図１２】
2011019061.tif 000014